(57)【要約】【課題】飼料用籾米を強制的に乾燥させるための乾燥設備が不要であり、乾燥コストを低減することができ、また保管中や輸送中においても、籾米のカビの発生や籾米の発芽発根、さらには籾米の腐敗を抑制することができる飼料用籾米の乾燥方法を提供する。【解決手段】少なくとも一部が透湿性シートで構成された梱包材中に飼料用籾米を収容し、この梱包材を大気中に置いて飼料用籾米を乾燥させる方法において、前記透湿性シートの透湿度が５００ｇ／ｍ２・２４ｈｒ以上であり、乾燥前の前記飼料用籾米の含水率が５０％以下であることを特徴とする飼料用籾米の乾燥方法。【選択図】図１
2015194288.tif 000002
【特許請求の範囲】
【請求項１】
少なくとも一部が透湿性シートで構成された梱包材中に飼料用籾米を収容し、この梱包材を大気中に置いて飼料用籾米を乾燥させる方法において、
前記透湿性シートの透湿度が５００ｇ／ｍ２・２４ｈｒ以上であり、
乾燥前の前記飼料用籾米の含水率が５０％以下であることを特徴とする飼料用籾米の乾燥方法。
【請求項２】
前記透湿性シートの透気度が５０００秒／１００ｃｍ３以下であることを特徴とする請求項１に記載の飼料用籾米の乾燥方法。
【請求項３】
前記透湿性シートの耐水圧が０．００２ＭＰａ以上であることを特徴とする請求項１または２に記載の飼料用籾米の乾燥方法。
【請求項４】
前記透湿性シートは、少なくとも多孔質布と多孔質ポリオレフィンフィルムとの積層体であることを特徴とする請求項１ないし３のいずれか一項に記載の飼料用籾米の乾燥方法。
【請求項５】
前記飼料用籾米は、立毛乾燥方法によって乾燥した籾米であることを特徴とする請求項１ないし４のいずれか１項に記載の飼料用籾米の乾燥方法。
【発明の詳細な説明】
【技術分野】
【０００１】
本発明は飼料用籾米を乾燥する方法に関するものであり、特に飼料用籾米を梱包材中に収容して乾燥させる方法に関するものである。
【背景技術】
【０００２】
近年、畜産経営は、輸入飼料原料価格の上昇や畜産物価格の低迷などにより、厳しい状況におかれている。そのような中で、輸入トウモロコシに代替できる国産飼料原料として、飼料用籾米が注目されている。
【０００３】
国内の主食用米の需要は減少傾向にあり、水田の６割でこれを賄えることから、調整水田等を活用し、食料自給率向上を図るために、麦、大豆、米粉・飼料用籾米等の生産を促進する活動も盛んとなっている。飼料用籾米は、配合飼料の原料として利用することが可能であり、また、長期保管に適し、既存の配合飼料と同様の取り扱いで家畜に給与することができる。飼料用籾米の生産には、特別な設備や栽培技術は不要であり、主食用米とほぼ同じ栽培技術で対応できるため、作業機械が転用できる利点があり、また畜産物のブランド化による高付加価値化、耕畜連携による資源循環、地産地消の推進などの多くのメリットがあり注目されている。
【０００４】
飼料用籾米は、主食用と比べ、食味および玄米の検査等級よりも価格が重要視され、より安価であることが重要であることから、その生産に要するコストを主食用籾米の生産コストよりも低くすることが必要であり、飼料用籾米の乾燥コストも、その低減が望まれている。
【０００５】
収穫した籾米をそのまま保管すると、籾米に含有している水分により、籾米にカビが発生したり、籾米が発芽発根し、さらには籾米が腐敗し、飼料用として利用できない品質になってしまう。そのため、飼料用籾米を保管するのに先立って、飼料用籾米を乾燥することが必要となる。特許文献１（特開２０００−２３０７７９号公報）には、収穫した籾米を、減圧下の乾燥室内で多量の遠赤外線の放射と、乾燥室内を循環する循環空気流によって乾燥させる方法が記載されている。
【先行技術文献】
【特許文献】
【０００６】
【特許文献１】特開２０００−２３０７７９号公報
【発明の概要】
【発明が解決しようとする課題】
【０００７】
特許文献１に記載される方法では、減圧下の乾燥室内で多量の遠赤外線の放射と、乾燥室内を循環する循環空気流によって強制的に籾米を乾燥させる乾燥設備が必要であり、その設備費用や乾燥工程での加熱動力費がかかるという問題がある。
【０００８】
また、乾燥工程において、飼料用籾米と主食用籾米で同一の設備を使用した場合には、主食用米に飼料用米が混入する可能性がある。さらに、飼料用籾米の需要は拡大していることから、その保管場所の確保なども課題となっている。
【０００９】
本発明は、上記従来技術の有する問題点に鑑みてなされたものであって、飼料用籾米を強制的に乾燥させるための乾燥設備及び加熱動力費が不要であり、乾燥コストを低減することができ、また保管中や輸送中においても、籾米のカビの発生や籾米の発芽発根、さらには籾米の腐敗を抑制することができる飼料用籾米の乾燥方法を提供することを目的とする。
【課題を解決するための手段】
【００１０】
本発明者らが鋭意検討した結果、乾燥用梱包材の少なくとも一部に透湿度が５００ｇ／ｍ２・２４ｈｒ以上である透湿性シートを使用し、かつ乾燥前の前記飼料用籾米の含水率を５０％以下とすることで飼料用籾米を効率よく乾燥させることができ、また、保管中や輸送中において籾米のカビの発生や籾米の発芽発根、さらには籾米の腐敗を抑制することを見出し、本発明を完成するに至った。
【００１１】
即ち、本発明は、以下を要旨とする。
【００１２】
［１]  少なくとも一部が透湿性シートで構成された梱包材中に飼料用籾米を収容し、この梱包材を大気中に置いて飼料用籾米を乾燥させる方法において、前記透湿性シートの透湿度が５００ｇ／ｍ２・２４ｈｒ以上であり、乾燥前の前記飼料用籾米の含水率が５０％以下であることを特徴とする飼料用籾米の乾燥方法。
［２］  前記透湿性シートの透気度が５０００秒／１００ｃｍ３以下であることを特徴とする［１］に記載の飼料用籾米の乾燥方法。
［３］  前記透湿性シートの耐水圧が０．００２ＭＰａ以上であることを特徴とする［１］または［２］に記載の飼料用籾米の乾燥方法。
［４］  前記透湿性シートは、少なくとも多孔質布と多孔質ポリオレフィンフィルムとの積層体であることを特徴とする［１］ないし［３］のいずれかに記載の飼料用籾米の乾燥方法。
［５］  前記飼料用籾米は、立毛乾燥方法によって乾燥した籾米であることを特徴とする［１］ないし［４］のいずれかに記載の飼料用籾米の乾燥方法。
【発明の効果】
【００１３】
本発明の飼料用籾米の乾燥方法は、少なくとも一部が透湿性シートよりなる梱包材中に飼料用籾米を収容し、これを大気中で保管して飼料用籾米を自然乾燥させるものであるから、乾燥設備が不要であり、また乾燥させるための加熱動力費の削減が可能となる。本発明方法によると、飼料用籾米の含水率を１５％以下まで低下させることも可能であり、籾米のカビの発生や籾米の発芽発根、さらには籾米の腐敗を防止することが可能である。
【００１４】
本発明によると、主食用籾米に飼料用籾米が混入する恐れもない。また、飼料用籾米を梱包した梱包材を屋外で保管しながら乾燥させることができるため、保管施設等の整備や貸借に要する費用を抑制することもできる。
【図面の簡単な説明】
【００１５】
【図１】梱包材の斜視図である。
【図２】梱包材の使用形態を示す斜視図である。
【発明を実施するための形態】
【００１６】
以下に本発明の飼料用籾米の乾燥方法の形態を詳細に説明するが、以下の説明は、本発明の実施態様の一例（代表例）であり、本発明はこれらの内容に特定はされない。
【００１７】
本発明の飼料用籾米の乾燥方法は、少なくとも一部が透湿性シートで構成された梱包材中に飼料用籾米を収容し、この梱包材を大気中に置いて飼料用籾米を乾燥させる方法において、前記透湿性シートの透湿度が５００ｇ／ｍ２・２４ｈｒ以上であり、乾燥前の前記飼料用籾米の含水率が５０％以下であることを特徴とする。
【００１８】
［飼料用籾米］
本発明における飼料用籾米とは、家畜の飼料用途として収穫された籾米のことであり、輸入トウモロコシの代替えとして、配合用飼料の原料に利用が可能である。また、飼料用籾米は排水不良田や未整備水田を含む水田および陸田で作付けが可能である。
【００１９】
本発明の乾燥方法に使用する飼料用籾米（以下、原料籾米ということがある。）は、含水率が５０％以下であることが重要であり、４０％以下であることが好ましく、３０％以下であることがより好ましく、２０％以下であることが特に好ましい。原料籾米の含水率を５０％以下とすることにより、乾燥途中又はその後の保管中において、籾米中の水分などにより籾米にカビが発生することを抑制し、また籾米の発芽発根、さらには籾米の腐敗を抑制することができる。
【００２０】
原料籾米の含水率を５０％以下とするには、特に限定するものではないが、収穫して脱穀した籾米を天日で乾燥したり、立毛乾燥することが望ましい。特に、立毛乾燥は、乾燥工程を簡略化することができ、好ましい。立毛乾燥とは、籾米を圃場において収穫適期以降も立毛状態で放置し、籾米を乾燥させる乾燥方法である。
【００２１】
［乾燥用梱包材］
本発明に使用できる乾燥用梱包材は、例えば麻袋、布袋、紙袋、フレコンバックなどが挙げられるが、屋外で保管する場合は防水性にすぐれる梱包材が好ましい。梱包材の少なくとも一部を透湿性シートで構成することにより、梱包材内の飼料用籾米を自然乾燥することができる。梱包材の表面積に対する透湿性シートの表面積の割合を、１０％以上とすることがより好ましく、２０％以上とすることが更に好ましい。透湿性シートの表面積の割合の上限は、特に限定されることはなく、１００％としてもよい。容器状梱包材の一部のみを透湿性シートで構成する場合、梱包材の上面及び側面の少なくとも一方に透湿性シートを配置することが好ましい。
【００２２】
乾燥用梱包材は、保管用や輸送用としても使用することができる。乾燥用梱包材を保管用梱包材として使用することにより、飼料用籾米を乾燥工程終了後に保管する場合も、飼料用籾米を移し替える必要がなく、作業性に優れるものとなる。
【００２３】
乾燥用梱包材を輸送用梱包材として使用することにより、輸送に要する時間を利用して飼料用籾米の乾燥を行うこともできるため、飼料用籾米の納期を短縮したり、乾燥工程用の一時保管倉庫を削減することができる。
【００２４】
本発明の乾燥用梱包材を保管用や輸送用として使用する場合は、梱包材の強度は、それに耐える強度が必要となる。特に乾燥用梱包材に使用する透湿性シートの表面積の割合を大きくした場合は、透湿性シートの外面側及び／又は内面側に補強用シートを使用することもできる。
【００２５】
この補強用シートは、乾燥用梱包材を保管や輸送するときに必要な強度があり、飼料用籾米の乾燥を妨げないものであれば、材料を特に限定することはない。
【００２６】
図１は、本発明に使用できる乾燥用梱包材の実施の形態の一例を示す斜視図である。この乾燥用梱包材１は、側周面と底面を構成する非透湿性のフレコンバックよりなる本体部２と、上面を覆う透湿性シートよりなるトップカバー３とを有するものである。図２は、この梱包材１に飼料用籾米を収容して乾燥している様子を示す実使用形態の模写図である。梱包材１のトップカバー３は紐４によって本体部２に固定されている。この梱包材１はパレット（図示略）上に載置されてもよい。梱包材１をパレット上に載置した場合、縦紐５によって紐４をパレットに繋いで外れ止めを図ることが好ましい。
【００２７】
＜透湿性シート＞
梱包材に用いられる透湿性シートは、透湿度が５００ｇ／ｍ２・２４ｈｒ以上のシートである。
【００２８】
透湿性シートの透湿度は、特に６００ｇ／ｍ２・２４ｈｒ以上、とりわけ７００ｇ／ｍ２・２４ｈｒ以上であることが好ましい。透湿性シートの透湿度を５００ｇ／ｍ２・２４ｈｒ以上とすることにより、飼料用籾米の自然乾燥効率を向上させ、その含水率を早く低下させることができる。また、梱包材の内面に付着する結露した水滴が飼料用籾米上に滴下することによる、飼料用籾米のカビの発生や、籾米の腐敗を抑制することができる。透湿性シートの透湿度の上限は特に制限はなく、水が気体分子ではなく液体分子の状態で大量にシートを通過することがなければよい。なお、本発明において、透湿性シートの透湿度とは、ＪＩＳＺ０２０８（カップ法）法に基づく、４０℃、９０％ＲＨ時の測定値である。
【００２９】
透湿性シートは、東洋精機（株）製  Ｂ型ガーレ式デンソメータにて測定された透気度が５０００秒／１００ｃｍ３以下であることが好ましく、４５００秒／１００ｃｍ３以下であることがより好ましく、４０００秒／１００ｃｍ３以下であることが更に好ましい。透湿性シートの透気度を５０００秒／１００ｃｍ３以下とすることで、梱包材内の飼料用籾米の含水率を早く低下させることができる。透湿性シートの透気度の下限値は特に限定することはないが、防水性能を損なわない範囲であれば使用することができる。
【００３０】
透湿性シートは、ＪＩＳ  Ｐ−８１１３に準拠して測定された、ＭＤ及びＴＤの引張強度の少なくとも一方が９．８Ｎ／１５ｍｍ幅以上であることが好ましい。透湿性シートのＭＤ及びＴＤの引張強度の少なくとも一方が９．８Ｎ／１５ｍｍ幅以上であると、梱包材として使用した場合、強度を十分確保でき、破断等の発生を抑制することができる。さらに十分な強度を得るためには、ＪＩＳ  Ｋ−７１２８に準拠して測定された、ＭＤ及びＴＤの引裂強度の少なくとも一方が１．５Ｎ以上であることが好ましい。なお、ＭＤとは機械加工方向（Ｍａｃｈｉｎｅ  Ｄｉｒｅｃｔｉｏｎ）を意味し、ＴＤとは横断方向（Ｔｒａｎｓｖｅｒｓｅ  Ｄｉｒｅｃｔｉｏｎ）を意味する。
【００３１】
透湿性シートの耐水圧は０．００２ＭＰａ以上であることが好ましく、０．００６ＭＰａ以上であることがより好ましく、０．０１ＭＰａ以上であることが更に好ましい。この耐水圧とは、ＪＩＳ  Ｌ−１０９２に準拠して測定した値を意味する。耐水圧が０．００２ＭＰａ以上であると、雨水や水滴が透湿性シートを透過して梱包材内に侵入することがなく、梱包材を屋外で使用することも可能となる。耐水圧の上限は特に限定されるものではないが、０．０９８ＭＰａ以下であると、透湿度及び透気度の性能を損なうこともないため好ましい。
【００３２】
透湿性シートとしては、特段の制限はないが、多孔質布と多孔質ポリオレフィンフィルムとの積層体を好適に用いることができる。以下に、この多孔質布と多孔質ポリオレフィンフィルムとの積層体よりなる透湿性シートについて説明する。
【００３３】
<多孔質布>
この多孔質布には、特段の制限はないが、例えばスプリットヤーンから作製された割布、不織布、織布又は網状物などであって、目付が１０〜５００ｇ／ｍ２程度のものが好適である。中でも、不織布や網状物が好ましい。
【００３４】
多孔質布は、通気性、透湿性、柔軟性などを有し、後記する多孔性ポリオレフィンフィルムとの積層一体化のために、このフィルムと接着性を有することが重要である。
【００３５】
多孔質布の原料は、ポリアミド系樹脂、ポリエステル系樹脂、レーヨン、ポリオレフィン系樹脂などが挙げられる。多孔質布の原料には、その耐候性、耐光性、耐久性などを向上させるために、紫外線吸収剤、ヒンダードアミン系光安定剤、着色剤などの各種の樹脂添加剤を配合するのが好ましい。
【００３６】
不織布とは、製織、編組によらず繊維を布状（シート）にしたものをいい、繊維シートの製法別に、乾式法、湿式法、スパンボンド法などに分けられ、これらのうちいずれの方法によって製造されたものでもよい。不織布は、単位面積あたりの重量が１０〜５００ｇ／ｍ２、中でも２０〜３００ｇ／ｍ２の範囲のものを選ぶのが好ましい。
【００３７】
網状物とは、ポリエチレン、ポリプロピレン、エチレン−酢酸ビニールなどのオレフィン系樹脂を縦糸及び／又は横糸として網状に構成した網状多孔質布をいい、該オレフィン系樹脂はその幅が０．１〜１０ｍｍの範囲であることが好ましく、またその厚さは１０〜３００μｍの範囲、さらには１０〜５０μｍの範囲であることが好ましい。
【００３８】
網状物を製造する方法としては、上記オレフィン系樹脂を縦糸又は横糸の一方又は両方もしくは縦糸又は横糸の一部に用いて編織するか、縦糸と横糸とを重ね合せて置き、その交点を熱融着する等の方法を用いることができる。
【００３９】
なお、多孔質布は、防水（撥水）加工されていてもよい。
【００４０】
<多孔質ポリオレフィンフィルム>
多孔質ポリオレフィンフィルムには、特段の制限はないが、（Ａ）ポリオレフィン樹脂と（Ｂ）充填剤とを含む樹脂組成物を原料とするものが挙げられる。この樹脂組成物には光安定剤、紫外線吸収剤、可塑剤やラジカル発生剤を配合してもよい。
【００４１】
多孔質ポリオレフィンフィルムの原料となるポリオレフィン樹脂（Ａ）は、エチレン又はプロピレンのホモポリマー、エチレン又はプロピレンとこれらと共重合し得る他のモノマーとの共重合体であり、具体的には、低密度ポリエチレン、線状低密度ポリエチレン、エチレン−酢酸ビニル共重合体、密度０．９１０ｇ／ｃｍ３以下の超低密度ポリエチレン、ポリプロピレン、エチレン−プロピレン共重合体、エチレン−プロピレン−ジエン共重合体、エチレン−メクアクリル酸エステル共重合体、又はこれらの混合物などが挙げられる。
【００４２】
線状低密度ポリエチレンとは、エチレンと他の共重合可能なα−オレフィンとの共重合物をいう。共重合可能な他のα−オレフィンとしては、プロピレン、１−ブテン、１−ぺンテン、１−ヘキセン、１−オクテン、１−デセン、４−メチル−１−ペンテンなどが挙げられ、これらと共に１，４−へキサジエン、ジシクロペンタジエン、エチリデンノルボルネンなどの非共役ジエンを共重合させることもできる。
【００４３】
これらのポリオレフィン樹脂（Ａ）は、１種を単独で用いてもよく、２種以上を混合して用いてもよい。
【００４４】
ポリオレフィン樹脂（Ａ）に配合する充填剤（Ｂ）は、無機充填剤及び有機充填剤のいずれでもよい。無機充填剤としては、炭酸カルシウム、タルク、クレー、カオリン、シリカ、桂藻土、炭酸マグネシウム、炭酸バリウム、硫酸マグネシウム、硫酸バリウム、硫酸カルシウム、水酸化アルミニウム、酸化亜鉛、水酸化マグネシウム、酸化カルシウム、酸化マグネシウム、酸化チタン、アルミナ、マイカ、アスベスト粉、ガラス粉、シラスバルーン、ゼオライト、桂酸白土などが挙げられる。中でも、炭酸カルシウム、タルク、クレー、シリカ、桂藻土、硫酸バリウムなどが好適である。
【００４５】
有機充填剤としては、木粉、パルプ粉などのセルロース系粉末が挙げられる。
【００４６】
これらの充填剤（Ｂ）は、１種を単独で用いてもよく、２種以上を混合して用いてもよい。
【００４７】
充填剤（Ｂ）の平均粒径としては、３０μｍ以下のものが好ましく、中でも０．７〜５μｍのものが好ましい。粒径が大き過ぎると得られる多孔質ポリオレフィンフィルムの気孔の緻密性が悪くなり、また、粒径が小さ過ぎると樹脂への分散性が悪く、成形性も劣るものとなる。
【００４８】
多孔質ポリオレフィンフィルムの製造方法には、特段の制限はないが、例えば、特開平１０−２０３８８４号公報等に記載の方法を採用することができる。
【００４９】
<積層体>
多孔質ポリオレフィンフィルムと多孔質布とを積層させるには、（ｉ)接着剤を用いる方法、（ii）熱接着による方法、などによることができる。いずれの方法による場合であっても、多孔質ポリオレフィンフィルムと多孔質布とは、それぞれの接着面積が対向する面の５〜６０％の範囲になるように接着するのが好ましい。この接着面積が５％未満であると、得られる積層体は接着部分が少ないため、使用の際に接着した部分が剥離し、接着面積が６０％を超えると、接着面積が広すぎて積層体の通気性、透湿性、柔軟性が低下するので、いずれも好ましくない。
【００５０】
多孔質ポリオレフィンフィルムと多孔質布とを接着させる方法は、特に制限はないが、上記（ｉ）接着剤を用いて接着するには、ホットメルト接着剤、感圧接着剤などを使用する方法が好ましい。この際に使用できるホットメルト接着剤としては、ポリアミド、ポリエステル、ポリオレフィンなどの樹脂、テープ、ウエブなどが挙げられる。上記（ii）熱接着による場合には、多孔質布の表面を加熱し、多孔質布の素材が熱可塑性樹脂の場合にはこれを加熱溶融させながら、多孔質ポリオレフィンフィルムに押圧して接着する方法が挙げられる。いずれの接着法による場合であっても、接着面は、線状、点状、格子状、ランダム状などのいずれかとするのが好ましい。
【００５１】
本発明で用いる透湿性シートとしての積層体は、製品強度の面からは３層、４層などの多層構造の積層体であることが好ましい。例えば、このような積層体としては、多孔質布／多孔質ポリオレフィンフィルム／多孔質布のような３層積層体や、多孔質布／多孔質ポリオレフィンフィルム／多孔質布／多孔質布のような４層積層体が挙げられる。
【００５２】
以上のような本発明に好適な物性を示す透湿性シートとして好ましいものとしては、具体的には、三菱樹脂（株）製の「エクセポール（登録商標）ＤＣＳ３」、「エクセポール（登録商標）ＤＣＳ４」、ＤｕＰｏｎｔ社製の「タイベックソフトタイプ・ハードタイプ」、「タイベック４００ＷＰ」、「タイベック７００ＡＧ」、「タイベック７６０ＡＧ」、「タイベック１０００ＡＧ」などのシートが挙げられ、耐水性がより良好な点から、「エクセポール（登録商標）ＤＣＳ３」又は「エクセポール（登録商標）ＤＣＳ４」が好ましい。
【００５３】
＜保管場所、乾燥に要する期間及び乾燥後の飼料用籾米の含水率＞
本発明では、飼料用籾米を収容した乾燥用梱包材を大気中に保管し、梱包材中の飼料用籾米を自然乾燥させる。乾燥工程中に梱包材を保管する場所については、特に限定されない。飼料用籾米を収容した梱包材は屋内に保管されてもよく、屋外に保管されてもよい。屋内に保管する場合、屋内は調温されてもよいが、調湿、調温を行わないことにより、乾燥コストを低減することが好ましい。屋外保管の場合、野天であってもよく、テント等を用いてもよい。
【００５４】
梱包材中に収容された飼料用籾米の乾燥期間は、保管条件によっても異なるが、好ましくは２週間以上、より好ましくは１ヶ月以上、さらに好ましくは２ヶ月以上である。
【００５５】
上記条件によって、飼料用籾米が好適な水分含有率となり、カビの発生を抑制し、また籾米の発芽発根および籾米の腐敗も抑制することができ、飼料用籾米として好ましいものとなる。
【００５６】
このような乾燥工程を経た後の飼料用籾米の含水率（飼料用籾米重量に占める水分重量の百分率）は、好ましくは１５％以下、より好ましくは１４％以下で、さらに好ましくは１３％以下である。飼料用籾米の含水率を１５％以下とすることで、梱包材などで長期に保管した場合にも籾米にカビが発生したり、籾米の発芽発根、さらには籾米の腐敗によって、飼料用として使用できない品質になってしまうことを抑制することができる。
【００５７】
本発明の乾燥方法を使用すれば、乾燥用の保管場所を特別に用意する必要もなく、また乾燥工程が終了する前より、納入先に輸送することもできる。
＜飼料用籾米が給与される家畜＞
本発明の乾燥方法により乾燥した飼料用籾米を給与する家畜としては特に制限はなく、牛、馬、豚、羊、ヤギ、猪、鶏などの哺乳類系の家畜が挙げられるが、本発明は、特に牛、豚、鶏の飼料として好適に使用することができる。
【実施例】
【００５８】
以下に、本発明を実施例及び比較例によって更に具体的に説明するが、本発明はその要旨を超えない限り、以下の実施例の記載に限定されるものではない。
【００５９】
以下の実施例及び比較例で梱包材に使用した材料は、次の通りである。
【００６０】
透湿性シート：三菱樹脂（株）製透湿性シート「エクセポール（登録商標）ＤＣＳ４」（透湿度：４６００ｇ／ｍ２・２４ｈｒ、ＭＤ方向引張強度：１９３Ｎ／１５ｍｍ幅、ＴＤ方向引張強度：１６０Ｎ／１５ｍｍ幅、透気度：８００秒／１００ｃｍ３、ＭＤ方向引裂強度：９４Ｎ、耐水圧：０．０４９ＭＰａ）
ＰＥシート：低密度ポリエチレン（厚み：０．０８ｍｍ、透湿度：５〜７ｇ／ｍ２・２４ｈｒ）
【００６１】
＜実施例１＞
上記透湿性シートよりなる縦１７ｃｍ、横２２ｃｍ、高さ２９ｃｍの蓋付き直方体状の梱包材中に、含水率１７．１％の飼料用籾米を収容したのち、密封状態とし、温度２３℃、湿度１０〜５０％の室内環境に静置して飼料用籾米を乾燥させた。
【００６２】
＜実施例２＞
梱包材の寸法を縦１３ｃｍ、横２１ｃｍ、高さ２２ｃｍとし、室内環境を温度３０℃、湿度５０％としたこと以外は、実施例１と同様の条件で静置して飼料用籾米を乾燥させた。
【００６３】
＜比較例１＞
梱包材の材料に上記ＰＥシートを使用したこと以外は、実施例１と同様の条件で静置して飼料用籾米を乾燥させた。
【００６４】
＜比較例２＞
梱包材の寸法を縦１３ｃｍ、横２１ｃｍ、高さ２２ｃｍとし、梱包材の材料に上記ＰＥシートを使用し、室内環境を温度３０℃、湿度５０％にしたこと以外は、実施例１と同様の条件で静置して飼料用籾米を乾燥させた。
【００６５】
上記実施例１、２及び比較例１，２で乾燥させた飼料用籾米の品質について次の方法により評価し、結果を表１に示す。
【００６６】
［評価方法］
＜含水率測定方法＞
上記の各梱包条件のサンプルについて１２日間経過した後、梱包材内の飼料用籾米について含水率を測定した。含水率の測定には、株式会社ケツト科学研究所製米麦水分計ライスターｆ２を使用した。
【００６７】
＜籾米のカビの評価方法＞
上記の各梱包条件のサンプルについて１２日間経過した後、梱包材内の飼料用籾米について、カビの発生状態を観察し、以下の基準で評価した。
【００６８】
○：カビの発生無し
△：カビの発生は無いが、カビ臭有り
×：カビの発生有り
【００６９】
＜籾米の発根状態の評価方法＞
上記の各梱包条件のサンプルについて１２日間経過した後、梱包材内の飼料用籾米について、発根状態を観察し、以下の基準で評価した。
【００７０】
○：発根無し
△：一部に根の発根有り
×：発根有り
【００７１】
【表１】
2015194288.tif 000003
【００７２】
＜考察＞
表１から明らかなように、本発明に関る飼料用籾米の乾燥方法によると、送風等による強制的な乾燥をすることなく籾米の含水率を１５％以下とすることが可能である。また、この乾燥用梱包材を保管用梱包材としたり、輸送用梱包材として使用することが可能であることが分かる。
【図１】
2015194288.tif 000004
【図２】
2015194288.tif 000005